【手続補正書】
【提出日】平成15年10月2日(2003.10.2)
【手続補正１】
【補正対象書類名】明細書
【補正対象項目名】発明の名称
【補正方法】変更
【補正の内容】
【発明の名称】符号化装置、符号化方法、伝送装置、および伝送方法


【手続補正２】
【補正対象書類名】明細書
【補正対象項目名】特許請求の範囲
【補正方法】変更
【補正の内容】
【特許請求の範囲】
【請求項１】
複数のデータをそれぞれ所定の符号化方式で符号化し、その複数の符号化されたデータを多重化して出力する符号化装置において、
前記複数のデータの符号化の難度を測定する測定手段と、
出力データが目標のビットレートとなるように、前記目標のビットレートと前記複数のデータの難度に従って、複数のデータの各符号化レートを決定する決定手段と、
前記複数のデータを決定された各符号化レートに応じて符号化する符号化手段と、
前記符号化手段によって符号化された複数のデータを多重化する多重化手段と  を備えることを特徴とする符号化装置。
【請求項２】
前記複数のデータは、複数のビデオデータを少なくとも含んでいる
ことを特徴とする請求項１に記載の符号化装置。
【請求項３】
前記複数のデータは、さらにオーディオデータを含んでいる  ことを特徴とする請求項２に記載の符号化装置。
【請求項４】
前記所定の符号化方式は、ＭＰＥＧ方式である
ことを特徴とする請求項１に記載の符号化装置。
【請求項５】
各データの符号化レートは、前記目標のビットレートに対するデータの難易度の割合によって決定される
ことを特徴とする請求項１に記載の符号化装置。
【請求項６】
前記測定手段は、ＧＯＰ単位でビデオデータの前記符号化の難度を測定する
ことを特徴とする請求項２に記載の符号化装置。
【請求項７】
前記符号化の難度は、前記ビデオデータを所定の量子化ステップサイズで符号化した場合の符号量である
ことを特徴とする請求項２に記載の符号化装置。
【請求項８】
前記符号化の難度は、前記ビデオデータの符号化対象画素値または符号化対象差分値の２乗の累積加算値である
ことを特徴とする請求項２に記載の符号化装置。
【請求項９】
前記符号化の難度は、前記ビデオデータの符号化対象画素値または符号化対象差分値の絶対値の累積加算値である
ことを特徴とする請求項２に記載の符号化装置。
【請求項１０】
前記測定手段は、オーディオフレーム単位でオーディオデータの前記符号化の難度を測定する
ことを特徴とする請求項３に記載の符号化装置。
【請求項１１】
前記符号化の難度は、前記オーディオデータを所定の量子化ステップサイズで符号化した場合の符号量である
ことを特徴とする請求項３に記載の符号化装置。
【請求項１２】
複数のデータをそれぞれ所定の符号化方式で符号化し、その複数の符号化されたデータを多重化して出力する符号化方法において、
前記複数のデータの符号化の難度を測定し、
出力データが目標のビットレートとなるように、前記目標のビットレートと前記複数のデータの難度に従って、複数のデータの各符号化レートを決定し、
前記複数のデータを決定された各符号化レートに応じて符号化し、
前記符号化された複数のデータを多重化する
ことを特徴とする符号化方法。
【請求項１３】
前記複数のデータは、複数のビデオデータを少なくとも含んでいる
ことを特徴とする請求項１２に記載の符号化方法。
【請求項１４】
前記複数のデータは、さらにオーディオデータを含んでいる
ことを特徴とする請求項１３に記載の符号化方法。
【請求項１５】
前記所定の符号化方式は、ＭＰＥＧ方式である
ことを特徴とする請求項１２に記載の符号化方法。
【請求項１６】
各データの符号化レートは、前記目標のビットレートに対するデータの難度の割合によって決定される
ことを特徴とする請求項１２に記載の符号化方法。
【請求項１７】
前記測定は、ＧＯＰ単位でビデオデータの前記符号化の難度を測定することで行われる
ことを特徴とする請求項１３に記載の符号化方法。
【請求項１８】
前記符号化の難度は、前記ビデオデータを所定の量子化ステップサイズで符号化した場合の符号量である
ことを特徴とする請求項１３に記載の符号化方法。
【請求項１９】
前記符号化の難度は、前記ビデオデータの符号化対象画素値または符号化対象差分値の２乗の累積加算値である
ことを特徴とする請求項１３に記載の符号化方法。
【請求項２０】
前記符号化の難度は、前記ビデオデータの符号化対象画素値または符号化対象差分値の絶対値の累積加算値である
ことを特徴とする請求項１３に記載の符号化方法。
【請求項２１】
前記測定は、オーディオフレーム単位でオーディオデータの前記符号化の難度を測定することで行われる
ことを特徴とする請求項１４に記載の符号化方法。
【請求項２２】
前記符号化の難度は、前記オーディオデータを所定の量子化ステップサイズで符号化した場合の符号量である
ことを特徴とする請求項１４に記載の符号化方法。
【請求項２３】
複数のデータをそれぞれ所定の符号化方式で符号化し、その複数の符号化されたデータを多重化し、その多重化データを伝送する伝送装置において、
前記複数のデータの符号化の難度を測定する測定手段と、
出力データが目標のビットレートとなるように、前記目標のビットレートと前記複数のデータの難度に従って、複数のデータの各符号化レートを決定する決定手段と、
前記複数のデータを決定された各符号化レートに応じて符号化する符号化手段と、
前記符号化手段によって符号化された複数のデータを多重化し、その多重化データを伝送する伝送手段と
を備えることを特徴とする伝送装置。
【請求項２４】
前記複数のデータは、複数のビデオデータを少なくとも含んでいる。
ことを特徴とする請求項２３に記載の伝送装置。
【請求項２５】
前記複数のデータは、さらにオーディオデータを含んでいる
ことを特徴とする請求項２４に記載の伝送装置。
【請求項２６】
前記所定の符号化方式は、ＭＰＥＧ方式である
ことを特徴とする請求項２３に記載の伝送装置。
【請求項２７】
各データの符号化レートは、前記目標のビットレートに対するデータの難度の割合によって決定される
ことを特徴とする請求項２３に記載の伝送装置。
【請求項２８】
前記測定手段は、ＧＯＰ単位でビデオデータの前記符号化の難度を測定する
ことを特徴とする請求項２４に記載の伝送装置。
【請求項２９】
前記符号化の難度は、前記ビデオデータを所定の量子化ステップサイズで符号化した場合の符号量である
ことを特徴とする請求項２４に記載の伝送装置。
【請求項３０】
前記符号化の難度は、前記ビデオデータの符号化対象画素値または符号化対象差分値の２乗の累積加算値である
ことを特徴とする請求項２４に記載の伝送装置。
【請求項３１】
前記符号化の難度は、前記ビデオデータの符号化対象画素値または符号化対象差分値の絶対値の累積加算値である
ことを特徴とする請求項２４に記載の伝送装置。
【請求項３２】
前記測定手段は、オーディオフレーム単位でオーディオデータの前記符号化の難度を測定する
ことを特徴とする請求項２５に記載の伝送装置。
【請求項３３】
前記符号化の難度は、前記オーディオデータを所定の量子化ステップサイズで符号化した場合の符号量である
ことを特徴とする請求項２５に記載の伝送装置。
【請求項３４】
複数のデータをそれぞれ所定の符号化方式で符号化し、その複数の符号化されたデータを多重化し、その多重化データを伝送する伝送方法において、
前記複数のデータの符号化の難度を測定し、
出力データが目標のビットレートとなるように、前記目標のビットレートと前記複数のデータの難度に従って、複数のデータの各符号化レートを決定し、
前記複数のデータを決定された各符号化レートに応じて符号化し、
前記符号化された複数のデータを多重化し、その多重化データを伝送する
ことを特徴とする伝送方法。
【請求項３５】
前記複数のデータは、複数のビデオデータを少なくとも含んでいる
ことを特徴とする請求項３４に記載の伝送方法。
【請求項３６】
前記複数のデータは、さらにオーディオデータを含んでいる
ことを特徴とする請求項３５に記載の伝送方法。
【請求項３７】
前記所定の符号化方式は、ＭＰＥＧ方式である
ことを特徴とする請求項３４に記載の伝送方法。
【請求項３８】
各データの符号化レートは、前記目標のビットレートに対するデータの難易度の割合によって決定される
ことを特徴とする請求項３４に記載の伝送方法。
【請求項３９】
前記測定は、ＧＯＰ単位でビデオデータの前記符号化の難度を測定することで行われる
ことを特徴とする請求項３５に記載の伝送方法。
【請求項４０】
前記符号化の難度は、前記ビデオデータを所定の量子化ステップサイズで符号化した場合の符号量である
ことを特徴とする請求項３５に記載の伝送方法。
【請求項４１】
前記符号化の難度は、前記ビデオデータの符号化対象画素値または符号化対象差分値の２乗の累積加算値である
ことを特徴とする請求項３５に記載の伝送方法。
【請求項４２】
前記符号化の難度は、前記ビデオデータの符号化対象画素値または符号化対象差分値の絶対値の累積加算値である
ことを特徴とする請求項３５に記載の伝送方法。
【請求項４３】
前記測定は、オーディオフレーム単位でオーディオデータの前記符号化の難度を測定することで行われる
ことを特徴とする請求項３６に記載の伝送方法。
【請求項４４】
前記符号化の難度は、前記オーディオデータを所定の量子化ステップサイズで符号化した場合の符号量である
ことを特徴とする請求項３６に記載の伝送方法。
【手続補正３】
【補正対象書類名】明細書
【補正対象項目名】０００１
【補正方法】変更
【補正の内容】
【０００１】
【発明の属する技術分野】
本発明は、符号化装置、符号化方法、伝送装置、および伝送方法に関し、特に、複数のデータを異なるビットレートで符号化する符号化装置、符号化方法、伝送装置、および伝送方法に関する。


【手続補正４】
【補正対象書類名】明細書
【補正対象項目名】００３５
【補正方法】削除
【補正の内容】
【手続補正５】
【補正対象書類名】明細書
【補正対象項目名】００３８
【補正方法】削除
【補正の内容】
【手続補正６】
【補正対象書類名】明細書
【補正対象項目名】０１０３
【補正方法】削除
【補正の内容】